(57)【特許請求の範囲】
【請求項１】
電線に接続される電線端子と、
前記電線端子に着脱自在に接続可能な電線端子接続部と、前記電線端子と前記電線端子接続部との接続方向と異なる方向に延びるコネクタ接続部と、を有するコネクタ端子と、
前記コネクタ接続部が挿通される挿通孔を有し、前記挿通孔に前記コネクタ接続部が挿通された前記コネクタ端子を保持すると共に、保持する前記コネクタ端子における前記電線端子接続部を覆い、且つ、前記挿通孔に前記コネクタ接続部を挿通するための開口部を有するハウジングと、
前記ハウジングに係合することにより、前記開口部を遮蔽可能に設けられ、且つ、前記挿通孔に挿通された前記コネクタ接続部が、前記ハウジングで前記コネクタ接続部を保持する際における規定の位置まで挿通されていない場合に、前記コネクタ端子に当接することにより所定の状態での係合が不可になるカバーと、
を備え、
前記カバーには、前記電線端子接続部に接続された前記電線端子を保持する電線端子保持部が回動自在に設けられており、
前記電線端子保持部は、前記カバーが前記ハウジングに係合した状態で回動することにより、前記電線端子接続部に接続された前記電線端子に対して、前記電線端子接続部から離れる方向への移動を規制することを特徴とするコネクタ。
【請求項２】
前記ハウジングには、前記電線端子と前記電線端子接続部との接続方向に平行な方向に延びる溝部を有して前記カバーと係合するカバー係合部が設けられており、
前記カバーは、前記溝部に前記カバーを入り込ませた状態で前記溝部に沿って移動させることにより、前記電線端子接続部における前記ハウジングが位置する側の反対側の面を覆って前記カバー係合部と係合する請求項１に記載のコネクタ。
【発明の詳細な説明】
【技術分野】
【０００１】
本発明は、コネクタに関する。
【背景技術】
【０００２】
コネクタは、通常、電線に接続される端子と、端子を保持するハウジングとを有し、相手側のコネクタが有するハウジング同士を着脱自在に連結させることにより、端子同士を電気的に接続することが可能になっている。このため、従来のコネクタの中には、コネクタ同士を連結させる際に、それぞれのコネクタが有する端子同士を適切に電気的に接続するために、端子の位置決めをするための構造を設けているものがある。
【０００３】
例えば、特許文献１に記載されたコネクタでは、Ｌ字状の端子をベースハウジングに圧入し、ベースハウジングに設けられたロック受け部に、端子における電線接続部側を覆う形態でベースハウジングに組み付けるカバーハウジングのロック部を係止している。さらに、このコネクタでは、ベースハウジングに突出して設けられて端子の電線接続部に形成された貫通孔に差し込まれる突起の周縁部を、カバーハウジングに設けられる押当部によってベースハウジングに押し当てている。これらにより、このコネクタは、カバーハウジングをベースハウジングに対して組み立てられた状態にロックでき、端子に力がかかった場合でも、端子の位置決め状態を保持することができる。
【先行技術文献】
【特許文献】
【０００４】
【特許文献１】特開２０１１−６０７０８号公報
【発明の概要】
【発明が解決しようとする課題】
【０００５】
しかしながら、コネクタの組み立て時に、カバーハウジングとベースハウジングとをロック状態にしたとしても、端子がベースハウジングに対して適切な位置まで圧入されることなく、組み立てられてしまう虞がある。このため、コネクタの組み立て時における端子を組み付ける手法について、改良の余地がある。
【０００６】
本発明は、上記に鑑みてなされたものであって、端子の組み立てを適切に行うことのできるコネクタを提供することを目的とする。
【課題を解決するための手段】
【０００７】
上述した課題を解決し、目的を達成するために、本発明に係るコネクタは、電線に接続される電線端子と、前記電線端子に着脱自在に接続可能な電線端子接続部と、前記電線端子と前記電線端子接続部との接続方向と異なる方向に延びるコネクタ接続部と、を有するコネクタ端子と、前記コネクタ接続部が挿通される挿通孔を有し、前記挿通孔に前記コネクタ接続部が挿通された前記コネクタ端子を保持すると共に、保持する前記コネクタ端子における前記電線端子接続部を覆い、且つ、前記挿通孔に前記コネクタ接続部を挿通するための開口部を有するハウジングと、前記ハウジングに係合することにより、前記開口部を遮蔽可能に設けられ、且つ、前記挿通孔に挿通された前記コネクタ接続部が、前記ハウジングで前記コネクタ接続部を保持する際における規定の位置まで挿通されていない場合に、前記コネクタ端子に当接することにより所定の状態での係合が不可になるカバーと、を備えることを特徴とする。
【０００８】
また、上記コネクタにおいて、前記カバーには、前記電線端子接続部に接続された前記電線端子を保持する電線端子保持部が回動自在に設けられており、前記電線端子保持部は、前記カバーが前記ハウジングに係合した状態で回動することにより、前記電線端子接続部に接続された前記電線端子に対して、前記電線端子接続部から離れる方向への移動を規制することが好ましい。
【０００９】
また、上記コネクタにおいて、前記ハウジングには、前記電線端子と前記電線端子接続部との接続方向に平行な方向に延びる溝部を有して前記カバーと係合するカバー係合部が設けられており、前記カバーは、前記溝部に前記カバーを入り込ませた状態で前記溝部に沿って移動させることにより、前記電線端子接続部における前記ハウジングが位置する側の反対側の面を覆って前記カバー係合部と係合することが好ましい。
【発明の効果】
【００１０】
本発明に係るコネクタは、端子の組み立てを適切に行うことができる、という効果を奏する。
【図面の簡単な説明】
【００１１】
【図１】図１は、実施形態に係るコネクタの斜視図である。
【図２】図２は、図１のＡ−Ａ断面図である。
【図３】図３は、図１に示すコネクタの分解斜視図である。
【図４】図４は、ハウジングでＬ字端子を保持する場合の説明図である。
【図５】図５は、ハウジングにカバーを組み付ける場合の説明図である。
【図６】図６は、溝部に沿って移動するカバーがＬ字端子の位置に差し掛かる際におけるカバーとＬ字端子の詳細図である。
【図７】図７は、カバーが係合したハウジングを電線保持部が位置する側の反対側から見た斜視図である。
【図８】図８は、図７のＤ部詳細図である。
【図９】図９は、溝部に沿って移動するカバーがＬ字端子の位置に差し掛かる際におけるカバーとＬ字端子の詳細図であり、カバーがＬ字端子に当接する場合の説明図である。
【図１０】図１０は、電線保持部に電線端子を挿入する場合の説明図である。
【図１１】図１１は、電線保持部に電線端子を挿入した状態を示す説明図である。
【図１２】図１２は、端子ホルダと電線端子とが当接する状態を示す説明図である。
【図１３】図１３は、図２のＢ部詳細図である。
【図１４】図１４は、図２のＣ部詳細図である。
【発明を実施するための形態】
【００１２】
以下に、本発明に係るコネクタの実施形態を図面に基づいて詳細に説明する。なお、この実施形態によりこの発明が限定されるものではない。また、下記実施形態における構成要素には、当業者が置換可能、且つ、容易なもの、或いは実質的に同一のものが含まれる。
【００１３】
〔実施形態〕
図１は、実施形態に係るコネクタの斜視図である。図２は、図１のＡ−Ａ断面図である。図１、図２に示すコネクタ１は、ハウジング５と、カバー３０と、Ｌ字端子４０と、を有している。このうち、Ｌ字端子４０は、金属材料等の導電性の材料からなり、当該コネクタ１と他のコネクタ（図示省略）との連結時に、他のコネクタに対して電気的に接続されるコネクタ端子として設けられている。また、ハウジング５は、樹脂材料等の絶縁性の材料からなり、Ｌ字端子４０を保持する本体部６と、コネクタ１に接続される電線６０を保持する電線保持部２０と、を有している。このうち、電線保持部２０は、２本の電線６０を保持することが可能になっており、このため、本体部６も、２本の電線６０に対応させて２つのＬ字端子４０を保持することが可能になっている。
【００１４】
この本体部６は、略直方体状の形状で形成されており、ハウジング５は、当該ハウジング５で保持する２つのＬ字端子４０を、これらのＬ字端子４０の一部を本体部６における１つの面から突出させる状態で保持している。Ｌ字端子４０における、この本体部６から突出している部分は、当該コネクタ１と他のコネクタとの連結時に、他のコネクタに対して電気的に接続されるコネクタ接続部４１として設けられている。２つのコネクタ接続部４１は、共に板状の形状で形成されており、板の厚さ方向が同じ方向になると共に、板の厚さ方向における位置が同じ位置になって配設されている。また、２つのコネクタ接続部４１は、本体部６からの突出量、即ち、本体部６からの高さが、同じ高さになっている。
【００１５】
また、本体部６の内部には、Ｌ字端子４０の一部の部位であり、コネクタ接続部４１が延在する方向と異なる方向に延びる電線端子接続部４２が位置している。この電線端子接続部４２は、コネクタ接続部４１が面している方向に向かって延びており、コネクタ接続部４１と一体に形成されている。２つのＬ字端子４０は、このようにそれぞれコネクタ接続部４１と電線端子接続部４２とを有して形成されており、ハウジング５が有する本体部６は、電線端子接続部４２を内部に位置させることにより、電線端子接続部４２における、コネクタ接続部４１が延びる方向側の面を覆っている。
【００１６】
また、本体部６におけるコネクタ接続部４１が突出している面には、１つの仕切板部１５と２つの挿入板部１６とが立設している。このうち、仕切板部１５は、２つのコネクタ接続部４１の間に配設されており、２つの挿入板部１６は、２つのコネクタ接続部４１と１つの仕切板部１５が並んでいる方向における、これらの両端側に配設されている。換言すると、２つのコネクタ接続部４１と１つの仕切板部１５とは、２つの挿入板部１６の間に配設されている。この挿入板部１６は、共に板状の形状で形成されており、板の厚さ方向が、コネクタ接続部４１の厚さ方向と直交する向きで形成されている。これらのように設けられる仕切板部１５と挿入板部１６とは、本体部６からの高さが、コネクタ接続部４１の高さよりも高くなっている。
【００１７】
また、ハウジング５が有する電線保持部２０は、コネクタ接続部４１が面している方向、或いは、挿入板部１６の幅方向に沿って、本体部６から延在している。即ち、電線保持部２０は、本体部６の内部において、Ｌ字端子４０の電線端子接続部４２が、コネクタ接続部４１から延びる方向と同じ方向に本体部６から延びて形成されている。この電線保持部２０は、２本の電線６０を当該電線保持部２０に挿入することにより、これらの電線６０を保持することができる。詳しくは、電線保持部２０は、２本の電線６０を電線保持部２０の延在方向に延びる向きにし、本体部６における２つのコネクタ接続部４１が並んでいる方向と同じ方向に２本の電線６０を並ばせた状態で、これらの電線６０を保持することが可能になっている。
【００１８】
このように、２本の電線６０を保持することができる電線保持部２０には、２本の電線６０を隔離する部材である仕切板２１が設けられている。この仕切板２１は、電線保持部２０の内部において、コネクタ接続部４１が並んでいる方向における中央付近の位置に設けられる板状の部材になっており、電線保持部２０の内部の空間を、コネクタ接続部４１が並んでいる方向に並ぶ２つの空間に隔てる部材になっている。このため、電線保持部２０における、本体部６に連結されている側の端部の反対側の端部には、電線６０を電線保持部２０内に挿入する、或いは、電線保持部２０内の電線６０を電線保持部２０から引き出すための開口部２２が、仕切板２１を挟んで仕切板２１の両側に２つ形成されている。
【００１９】
電線保持部２０によって保持される電線６０は、導電性の材料からなる電線端子５０が端部に接続された状態で保持される。このように、電線６０の端部に接続される電線端子５０は、電線６０に圧着して接続される部分であるインシュレーションバレル５１と、電線６０の電気的に接続される部分であるワイヤバレル５２と、Ｌ字端子４０に着脱自在に接続される部分である接続端子部５３と、を有している。
【００２０】
このうち、インシュレーションバレル５１は、電線６０に対して、電線６０の芯線を覆う被覆部分の外側から圧着することにより、電線６０に対して電線端子５０を固着させることが可能になっている。また、ワイヤバレル５２は、インシュレーションバレル５１と一体に設けられると共に、電線６０において被覆を除去した部分の芯線に接触し、芯線に対して電気的に接続されている。
【００２１】
また、接続端子部５３は、ワイヤバレル５２におけるインシュレーションバレル５１が位置する側の反対側に位置してワイヤバレル５２と一体に設けられていると共に、略角筒状の形状で形成されている。その際に、ワイヤバレル５２は、角筒状に形成される接続端子部５３の端部の形状である矩形を構成する４つの辺のうち、１つの辺と、その両側の辺の３つの辺のみに接続されている。つまり、ワイヤバレル５２は、接続端子部５３に対して、接続端子部５３の端部における半分の領域のみに接続されている。
【００２２】
接続端子部５３は、このように略角筒状の形状で形成されることにより、Ｌ字端子４０の電線端子接続部４２を挿入することが可能になっており、これにより、電線６０に接続される電線端子５０は、電線端子接続部４２と着脱自在に電気的に接続可能に形成されている。
【００２３】
端部に電線端子５０が接続される電線６０は、ハウジング５が有する電線保持部２０の開口部２２から電線保持部２０内に挿入され、ハウジング５に覆われているＬ字端子４０の電線端子接続部４２が接続端子部５３内に挿入されることにより、電線端子５０を介してＬ字端子４０に接続されている。その際に、電線端子５０は、接続端子部５３におけるワイヤバレル５２が接続されていない領域側が、本体部６における仕切板部１５や挿入板部１６が立設される面側の反対面側に位置する向きで接続端子部５３内に挿入される。
【００２４】
また、ハウジング５には、Ｌ字端子４０のコネクタ接続部４１が位置したり、仕切板部１５や挿入板部１６が立設したりする側の反対側の面側に、カバー３０が取り付けられている。このカバー３０は、電線端子接続部４２におけるハウジング５が位置する側の反対側の面を覆ってハウジング５と係合することにより、ハウジング５に対して着脱自在に取り付けられている。
【００２５】
このカバー３０には、電線端子接続部４２に接続された電線端子５０を保持する電線端子保持部である端子ホルダ３５が設けられている。この端子ホルダ３５は、接続端子部５３におけるワイヤバレル５２側の位置で、且つ、接続端子部５３においてワイヤバレル５２が接続されていない領域付近に位置しており、接続端子部５３に当接することができる移動規制部３６が、接続端子部５３に対向する状態で配設される。これにより、端子ホルダ３５は、電線端子接続部４２に接続された電線端子５０に対して、電線端子接続部４２から離れる方向への移動を規制することが可能になっている。
【００２６】
また、カバー３０には、ハウジング５が位置する側の反対側の面に、ブラケット等に形成される孔に対して弾力性によって着脱することができるスナップフィット３２が設けられている。コネクタ１は、このスナップフィット３２により、ブラケット等に対して容易に着脱することが可能になっている。
【００２７】
図３は、図１に示すコネクタの分解斜視図である。図３に示すように、Ｌ字端子４０は、他のコネクタに電気的に接続されるコネクタ接続部４１が、電線端子５０に着脱自在に接続可能な電線端子接続部４２が延在する方向と異なる方向に延びている。即ち、コネクタ接続部４１は、電線端子５０と電線端子接続部４２との接続方向と異なる方向に延びており、コネクタ接続部４１と電線端子接続部４２とは、Ｌ字端子４０をコネクタ接続部４１の幅方向に見た場合における相対的な角度が、約９０°となって形成されている。本実施形態に係るコネクタ１は、このＬ字端子４０を２つ備えている。また、Ｌ字端子４０は、コネクタ接続部４１の幅方向に対する電線端子接続部４２の位置が、コネクタ接続部４１の中心の位置からずれて形成されている。２つのＬ字端子４０は、この電線端子接続部４２が、コネクタ接続部４１の幅方向における中心からずれる量が同じ量になっており、コネクタ接続部４１の中心からずれる方向が、互いに反対方向になっている。
【００２８】
ハウジング５は、Ｌ字端子４０が有するコネクタ接続部４１が挿通される挿通孔７を、Ｌ字端子４０に対応して２つ有しており、２つの挿通孔７にコネクタ接続部４１が挿通されたそれぞれのＬ字端子４０を保持することが可能になっている。つまり、ハウジング５の本体部６には、コネクタ接続部４１が挿通される挿通孔７が形成されており、本体部６は、本体部６において仕切板部１５や挿入板部１６が立設されている側の反対の面側からコネクタ接続部４１を挿通孔７に挿通することにより、Ｌ字端子４０を保持することが可能になっている。
【００２９】
また、このようにＬ字端子４０を保持することが可能なハウジング５には、挿通孔７が形成されている側の反対側の面に、挿通孔７にコネクタ接続部４１を挿通するための開口部８（図４参照）が形成されている。この開口部８は、ハウジング５の内部を、挿通孔７が形成される側の反対側に向けて開口している。
【００３０】
ハウジング５に取り付けられるカバー３０は、ハウジング５に係合することにより、開口部８を遮蔽可能に設けられており、Ｌ字端子４０をハウジング５で保持する場合のコネクタ接続部４１の幅方向における両端に、当該コネクタ接続部４１の幅方向における外側方向にカバー３０から突出したスライド部３１を有している。一方、ハウジング５には、カバー３０と係合するカバー係合部１０が設けられており、カバー３０は、スライド部３１がカバー係合部１０に係合することにより、ハウジング５に係合することが可能になっている。これにより、カバー３０は、ハウジング５におけるコネクタ接続部４１が挿通孔７に挿通される側の位置に係合可能に設けられている。
【００３１】
詳しくは、カバー係合部１０は、ハウジング５の本体部６に形成されており、コネクタ接続部４１の幅方向における両端に、ハウジング５で保持するＬ字端子４０が有する電線端子接続部４２の延在方向、即ち、電線端子５０と電線端子接続部４２との接続方向に平行な方向に延びる溝部１１を有している。カバー３０は、この溝部１１における、本体部６に対して電線保持部２０が位置する方向の端部の反対方向の端部から、当該カバー３０のスライド部３１を入り込ませた状態で、電線保持部２０が位置する方向に溝部１１に沿って移動させることにより、カバー係合部１０と係合することが可能になっている。カバー３０は、このようにカバー係合部１０と係合することにより、開口部８を遮蔽することができる。
【００３２】
また、カバー３０が有する端子ホルダ３５は、２つの電線端子５０に対応して２つがカバー３０に設けられており、２つの端子ホルダ３５は、ヒンジ３８によって回動自在にカバー３０に設けられている。詳しくは、ヒンジ３８は、回動軸がコネクタ接続部４１の幅方向になる向きで、端子ホルダ３５を回動自在にカバー３０に対して連結している。ヒンジ３８によってカバー３０に連結される端子ホルダ３５は、当該端子ホルダ３５がヒンジ３８から、カバー３０におけるスナップフィット３２が設けられる面側に向かう方向の回動状態の場合には（図３参照）、大部分がヒンジ３８よりも、カバー３０が位置する側の反対側に位置する状態になるように設けられている。
【００３３】
つまり、カバー３０におけるスナップフィット３２が設けられる面側を下方側とし、カバー３０における反対側の面を上面側とした場合に、端子ホルダ３５は、ヒンジ３８から下方側に向かう方向の回動状態の場合には、ヒンジ３８は端子ホルダ３５の上端付近に位置し、端子ホルダ３５の大部分がヒンジ３８よりも下側に位置する状態になるように設けられている。このため、端子ホルダ３５が有する移動規制部３６も、当該端子ホルダ３５がヒンジ３８から下方に向かう方向の回動状態の場合には、ヒンジ３８よりも、カバー３０が位置する側の反対側に位置する状態になる。
【００３４】
また、端子ホルダ３５には、カバー３０をハウジング５に取り付け、移動規制部３６によって電線端子５０の移動を規制する状態にする際に、ハウジング５に係合する係合部３７が設けられている。この係合部３７は、端子ホルダ３５におけるヒンジ３８が位置する側の端部の反対側の端部に設けられている。このため、ヒンジ３８から下方側に向かう方向の回動状態の端子ホルダ３５では、係合部３７は、端子ホルダ３５の下端部分に位置している。
【００３５】
本実施形態に係るコネクタ１は、以上のような構成からなり、次に、コネクタ１の組み立て手順について説明する。図４は、ハウジングでＬ字端子を保持する場合の説明図である。コネクタ１の組み立て時には、まず、ハウジング５の開口部８から、ハウジング５に対してＬ字端子４０を組み付ける。詳しくは、ハウジング５の本体部６における挿入板部１６が立設される側の反対側の面から、Ｌ字端子４０のコネクタ接続部４１を挿通孔７に挿通させることができ、且つ、電線端子接続部４２が電線保持部２０側に位置する向きで、コネクタ接続部４１を挿通孔７に挿通させる。これにより、ハウジング５にＬ字端子４０を組み付ける。
【００３６】
ハウジング５にＬ字端子４０を組み付け、Ｌ字端子４０のコネクタ接続部４１が、挿入板部１６が立設する方向に本体部６から突出する状態になったら、次に、ハウジング５にカバー３０を組み付け、開口部８を遮蔽する。図５は、ハウジングにカバーを組み付ける場合の説明図である。ハウジング５にカバー３０を組み付ける際には、カバー３０の向きを、挿入板部１６の延在方向において、ハウジング５が位置する側の反対側にスナップフィット３２が位置する向きする。さらに、カバー３０は、端子ホルダ３５の回動状態を、ヒンジ３８から下方側に端子ホルダ３５が向かう回動状態にする。カバー３０は、この状態でハウジング５の本体部６における電線保持部２０が位置する側の端部側の反対側の端部から、スライド部３１をカバー係合部１０の溝部１１に入り込ませ、溝部１１に沿って電線保持部２０が位置する方向に移動させる。
【００３７】
図６は、溝部に沿って移動するカバーがＬ字端子の位置に差し掛かる際におけるカバーとＬ字端子の詳細図である。スライド部３１が溝部１１に入り込んだ状態でカバー３０を電線保持部２０が位置する方向に移動させた場合、カバー３０は、Ｌ字端子４０の近傍に到達する。Ｌ字端子４０は、コネクタ接続部４１が本体部６の挿通孔７に挿通されて、予め設定されている突出量でコネクタ接続部４１が本体部６から突出し、予め規定された位置まで電線端子接続部４２がハウジング５に近付く方向に移動した場合には、電線端子接続部４２は、移動するカバー３０が通る位置よりも、ハウジング５に近付いた状態になる。この場合、電線保持部２０が位置する方向に移動するカバー３０は、Ｌ字端子４０に当接することなく、電線端子接続部４２におけるコネクタ接続部４１が延びる方向側の面の反対の面側を通過して電線保持部２０が位置する方向に移動することができる。
【００３８】
図７は、カバーが係合したハウジングを電線保持部が位置する側の反対側から見た斜視図である。図８は、図７のＤ部詳細図である。電線保持部２０が位置する方向に移動したカバー３０は、電線保持部２０が位置する側の反対側に位置する端部の、カバー３０の移動方向における位置が、ハウジング５の同方向側の端部の位置と同じ位置になる。これにより、カバー３０は、予め定められている所定の状態でハウジング５に係合し、即ち、コネクタ１の設計時における規定の状態でハウジング５に係合し、開口部８を遮蔽することができる。このように、カバー３０がハウジング５に対して適切に係合した場合には、カバー３０は、スライド部３１がカバー係合部１０の溝部１１に入り込んだ状態になるため、溝部１１の幅方向と、溝部１１の深さ方向との移動が規制される。つまり、カバー３０は、挿入板部１６やコネクタ接続部４１の延伸方向と、コネクタ接続部４１の幅方向との移動がカバー係合部１０によって規制される。
【００３９】
これに対し、本体部６からのコネクタ接続部４１の突出量が、予め設定されている突出量未満の場合には、電線保持部２０が位置する方向に移動するカバー３０は、Ｌ字端子４０に当接する。図９は、溝部に沿って移動するカバーがＬ字端子の位置に差し掛かる際におけるカバーとＬ字端子の詳細図であり、カバーがＬ字端子に当接する場合の説明図である。つまり、挿通孔７に挿通されたコネクタ接続部４１が、ハウジング５でコネクタ接続部４１を保持する際における規定の位置まで挿通されていない場合には、電線端子接続部４２は、規定の位置まで挿通された場合と比較して、ハウジング５から離れた状態になる。
【００４０】
この場合、電線端子接続部４２は、移動するカバー３０の通路上に位置することになり、電線保持部２０が位置する方向に移動するカバー３０は、当該カバー３０の移動通路上に位置するＬ字端子４０に当接する。これにより、カバー３０は、それ以上電線保持部２０が位置する方向に移動することができなくなり、所定の状態での係合が不可になる。つまり、Ｌ字端子４０のコネクタ接続部４１は、ハウジング５の挿通孔７に対して適切な位置まで挿通されておらず、Ｌ字端子４０をハウジング５によって適切に保持していない場合には、ハウジング５に対してカバー３０を適切に取り付けることができなくなる。
【００４１】
この場合には、Ｌ字端子４０のコネクタ接続部４１を挿通孔７にさらに押し込み、本体部６からのコネクタ接続部４１の突出量を、予め設定されている突出量にした後、再度ハウジング５に対するカバー３０の取り付けを行う。
【００４２】
図１０は、電線保持部に電線端子を挿入する場合の説明図である。Ｌ字端子４０を適切に保持するハウジング５にカバー３０を係合したら、次に、電線保持部２０に電線６０を挿入し、電線保持部２０で電線６０を保持させる。この場合、カバー３０は、端子ホルダ３５が、当該カバー３０におけるスナップフィット３２が設けられる面側に向かう方向になる回動状態になっている状態で、電線保持部２０に電線６０を挿入する。
【００４３】
電線保持部２０に電線６０を挿入する際には、電線６０は、端部に接続される電線端子５０側から挿入する。電線保持部２０に電線端子５０を挿入する際には、電線端子５０における接続端子部５３を電線保持部２０の開口部２２に対向させ、接続端子部５３側から電線保持部２０に挿入する。また、電線保持部２０に挿入する際における電線端子５０の向きは、接続端子部５３においてワイヤバレル５２が接続されていない領域側が、端子ホルダ３５が位置する側に位置する向きで挿入する。
【００４４】
図１１は、電線保持部に電線端子を挿入した状態を示す説明図である。電線保持部２０に挿入した電線端子５０は、接続端子部５３が、Ｌ字端子４０の電線端子接続部４２に接続される。詳しくは、ハウジング５で保持するＬ字端子４０の電線端子接続部４２は、コネクタ接続部４１の位置から電線保持部２０が位置する側に向かって延びているため、接続端子部５３から電線保持部２０に電線端子５０を挿入することにより、電線端子接続部４２が、接続端子部５３に入り込む。これにより、接続端子部５３は電線端子接続部４２に接続され、電線端子５０とＬ字端子４０とは接続される。
【００４５】
このように、Ｌ字端子４０の電線端子接続部４２に接続される電線端子５０は、電線端子５０全体が電線保持部２０内に入り込むまで電線保持部２０内に挿入し、電線端子５０の挿入方向における端子ホルダ３５の位置よりも、接続端子部５３全体がＬ字端子４０が位置する側に位置する状態になるまで移動させる。これにより、電線端子５０を電線保持部２０によって保持する。
【００４６】
電線６０を電線保持部２０内に挿入し、電線端子５０とＬ字端子４０とを接続したら、ヒンジ３８を中心として端子ホルダ３５を回動させる。即ち、ヒンジ３８から下方側に向かう回動状態になっていた端子ホルダ３５を、ハウジング５に近付かせる方向に、ヒンジ３８を中心として回動させる。これにより、端子ホルダ３５においてヒンジ３８が位置する側の端部の反対側の端部に位置する係合部３７を、ハウジング５に近付かせる。
【００４７】
図１２は、端子ホルダと電線端子とが当接する状態を示す説明図である。係合部３７をハウジング５に近付かせる方向に端子ホルダ３５を回動させた際に、電線端子５０が、電線保持部２０内において適切な位置まで挿入されておらず、接続端子部５３と電線端子接続部４２との接続が適切でない場合には、端子ホルダ３５は接続端子部５３に当接する。つまり、電線端子５０が有する接続端子部５３の一部が、電線端子５０の挿入方向における端子ホルダ３５の位置よりも電線保持部２０の開口部２２側に位置する場合には、係合部３７をハウジング５に近付かせる方向に端子ホルダ３５を回動させると、端子ホルダ３５は接続端子部５３に当接する。
【００４８】
詳しくは、端子ホルダ３５は、移動規制部３６が、端子ホルダ３５がヒンジ３８から下方に向かう方向の回動状態の場合に、ヒンジ３８よりもカバー３０が位置する側の反対側に向かう方向に突出して形成されている。このため、係合部３７をハウジング５に近付かせる方向に端子ホルダ３５を回動させた際には、移動規制部３６は、ヒンジ３８よりもハウジング５に近付く方向に突出する状態になる。従って、接続端子部５３の一部が、電線端子５０の挿入方向におけるヒンジ３８の位置よりも電線保持部２０の開口部２２側に位置する場合には、係合部３７をハウジング５に近付かせる方向に端子ホルダ３５を回動させた際に、端子ホルダ３５における移動規制部３６の近傍の部分が、接続端子部５３に当接する。
【００４９】
この場合には、電線端子５０を電線保持部２０内にさらに押し込むことにより、接続端子部５３と電線端子接続部４２との接続を適切な状態にし、接続端子部５３の全ての部分が、電線端子５０の挿入方向におけるヒンジ３８の位置よりもＬ字端子４０が位置する側に位置する状態にした後、係合部３７をハウジング５に近付かせる方向に端子ホルダ３５を再度回動させる。
【００５０】
図１３は、図２のＢ部詳細図である。ヒンジ３８を中心として端子ホルダ３５を回動させることにより、係合部３７をハウジング５に係合させる際には、カバー３０やハウジング５の弾力性を用いて係合させる。詳しくは、係合部３７をハウジング５に係合させる際には、カバー３０やハウジング５を撓ませることにより、ハウジング５が有する電線保持部２０の内部に端子ホルダ３５の係合部３７を入り込ませる。これにより、端子ホルダ３５は、ハウジング５から離れる方向、即ち、下方側には回動しなくなる。
【００５１】
図１４は、図２のＣ部詳細図である。また、このように、係合部３７がハウジング５に係合する状態では、端子ホルダ３５の移動規制部３６は、ヒンジ３８よりもハウジング５に近付く方向に突出する状態になり、電線保持部２０の内部に移動規制部３６が位置する状態になる。即ち、移動規制部３６は、接続端子部５３におけるワイヤバレル５２側の位置で、接続端子部５３においてワイヤバレル５２が接続されていない領域付近に位置する状態になる。
【００５２】
これにより、移動規制部３６は、接続端子部５３におけるワイヤバレル５２側の位置で接続端子部５３に対向する状態になるため、接続端子部５３、即ち電線端子５０は、接続端子部５３が移動規制部３６に当接することにより、開口部２２の方向への移動が規制される。端子ホルダ３５は、このようにカバー３０がハウジング５に係合した状態で回動することにより、電線端子接続部４２に接続された電線端子５０に対して、電線端子接続部４２から離れる方向への移動を規制する。
【００５３】
また、このように移動規制部３６と接続端子部５３とが当接した場合には、Ｌ字端子４０が位置する方向への移動規制部３６の移動も規制され、即ち、同方向への端子ホルダ３５の移動が規制される。このため、端子ホルダ３５を有するカバー３０が、ハウジング５に対する当該カバー３０の移動方向において電線保持部２０から離れる方向に移動することが規制され、カバー３０とハウジング５との係合が維持される。
【００５４】
なお、移動規制部３６は、接続端子部５３に対向する状態では、常時接続端子部５３に当接していてもよく、電線端子５０が電線端子接続部４２から離れる方向へ移動した場合に、常時接続端子部５３に当接してもよい。
【００５５】
次に、これらのように構成されて組み立てられるコネクタ１の作用について説明する。実施形態に係るコネクタ１と連結する他のコネクタ（以下、連結コネクタとする）には、コネクタ１に設けられる挿入板部１６が挿入される挿入孔が形成されている。このため、実施形態に係るコネクタ１と連結コネクタを連結する際には、挿入板部１６を挿入孔に挿入する。これにより、コネクタ１と連結コネクタとは、連結時に挿入板部１６と連結孔とによって案内されて、適切に連結される。つまり、コネクタ１のＬ字端子４０が有するコネクタ接続部４１が、連結コネクタに設けられる端子に電気的に接続され、コネクタ１に接続される電線６０と、連結コネクタに接続される電線とが電気的に接続される。
【００５６】
このように連結されたコネクタ１と連結コネクタに対して、外部から大きな力が入力された際には、この力を挿入板部１６と挿入孔とによって受け、大きな力がＬ字端子４０にかかること防止する。また、不純物が多い環境下でコネクタ１を用いた場合には、コネクタ接続部４１に不純物が接近することがあるが、コネクタ接続部４１同士の間に配設される仕切板部１５は、不純物が２つのコネクタ接続部４１に跨って接触することを防止する。これにより、仕切板部１５は、不純物によるコネクタ接続部４１同士の短絡を防止する。
【００５７】
以上の実施形態に係るコネクタ１は、電線６０に接続される電線端子５０と、電線端子５０に着脱自在に接続可能な電線端子接続部４２と、電線端子５０と電線端子接続部４２との接続方向と異なる方向に延びるコネクタ接続部４１と、を有するコネクタ端子であるＬ字端子４０と、コネクタ接続部４１が挿通される挿通孔７を有し、挿通孔７にコネクタ接続部４１が挿通されたＬ字端子４０を保持すると共に、保持するＬ字端子４０における電線端子接続部４２を覆い、且つ、挿通孔７にコネクタ接続部４１を挿通するための開口部８を有するハウジング５と、ハウジング５に係合することにより、開口部８を遮蔽可能に設けられ、且つ、挿通孔７に挿通されたコネクタ接続部４１が、ハウジング５でコネクタ接続部４１を保持する際における規定の位置まで挿通されていない場合に、Ｌ字端子４０に当接することにより所定の状態での係合が不可になるカバー３０と、を備えるため、コネクタ１の組み立て時に、Ｌ字端子４０のコネクタ接続部４１が、ハウジング５の挿通孔７に適切な位置まで挿通されなかった際に、カバー３０がＬ字端子４０に当接することにより、適切な位置まで挿通されていないことを検知することができる。これにより、Ｌ字端子４０のコネクタ接続部４１が、挿通孔７に適切な位置まで挿通されていない場合には、挿通孔７へのＬ字端子４０の挿通をやり直すことができる。この結果、端子の組み立てを適切に行うことができる。
【００５８】
また、カバー３０には、電線端子接続部４２に接続された電線端子５０を保持する電線端子保持部である端子ホルダ３５が回動自在に設けられており、端子ホルダ３５は、カバー３０がハウジング５に係合した状態で回動することにより、電線端子接続部４２に接続された電線端子５０に対して、電線端子接続部４２から離れる方向への移動を規制するため、Ｌ字端子４０の電線端子接続部４２と電線端子５０との接続を、確実に維持することができる。また、端子ホルダ３５はカバー３０に設けられているため、電線端子接続部４２から離れる方向への電線端子５０の移動を規制することにより、カバー３０が、電線端子５０から離れる方向へ移動することを規制することができる。これらの結果、組み立てた端子の接続状態を維持することができ、且つ、ハウジング５のカバー３０の係合状態を維持することができる。
【００５９】
また、電線端子５０の接続端子部５３と、Ｌ字端子４０の電線端子接続部４２との接続が適切でない場合には、端子ホルダ３５を回動させた際に、端子ホルダ３５が接続端子部５３に接触するため、接続が不適切であることを検知できる。これにより、電線端子５０の接続端子部５３が、Ｌ字端子４０の電線端子接続部４２に対して適切に接続されていない場合には、接続端子部５３を押し込むことにより、電線端子接続部４２への接続端子部５３の接続をやり直すことができる。この結果、端子の組み立てを適切に行うことができる。
【００６０】
また、ハウジング５には、電線端子５０と電線端子接続部４２との接続方向に平行な方向に延びる溝部１１を有してカバー３０と係合するカバー係合部１０が設けられており、カバー３０は、溝部１１にカバー３０を入り込ませた状態で溝部１１に沿って移動させることにより、電線端子接続部４２におけるハウジング５が位置する側の反対側の面を覆ってカバー係合部１０と係合するため、カバー３０を容易にハウジング５に組み付けることができる。この結果、ハウジング５の組み立て時における容易性を向上させることができる。
【００６１】
また、電線端子５０は、電線６０に対して被覆部分の外側からインシュレーションバレル５１が圧着することによって電線６０に固着しているため、例えば、コネクタ１に継続的に振動が入力される場合でも、この振動を、電線６０の被覆とインシュレーションバレル５１とにより受けることができる。これにより、電線６０が有する芯線に対して、振動による応力集中が発生することを抑制することができる。この結果、電線端子５０と電線６０との接続部分で、電線６０の芯線が切れることを抑制できる。
【００６２】
また、コネクタ１の組み立て時には、ハウジング５のＬ字端子４０を組み付けた後、電線端子５０が接続された電線６０をハウジング５に組み付けるため、それぞれの作業を独立して行うことができる。この結果、組み立て作業時に、作業者が複数の部位に注力しながら作業を行うことを抑制することができ、組み立て作業時における精神的な負担を軽減することができる。
【００６３】
〔変形例〕
なお、上述した実施形態に係るコネクタ１では、電線端子５０の接続端子部５３と、Ｌ字端子４０の電線端子接続部４２とは、電線端子接続部４２が接続端子部５３内に入り込むように構成されているが、これらの接続形態はこれ以外でもよい。電線端子５０の接続端子部５３と、Ｌ字端子４０の電線端子接続部４２とは、例えば、接続端子部５３が電線端子接続部４２内に入り込むように構成されていてもよい。接続端子部５３と電線端子接続部４２とは、接続されたこれらの、抜ける方向への移動を端子ホルダ３５によって規制することができる形態であれば、接続形態は問わない。
【符号の説明】
【００６４】
１  コネクタ
５  ハウジング
６  本体部
７  挿通孔
８  開口部
１０  カバー係合部
１１  溝部
１５  仕切板部
１６  挿入板部
２０  電線保持部
２２  開口部
３０  カバー
３５  端子ホルダ（電線端子保持部）
３８  ヒンジ
４０  Ｌ字端子（コネクタ端子）
４１  コネクタ接続部
４２  電線端子接続部
５０  電線端子
５３  接続端子部
６０  電線
【図１】
0006567836.tif 000002
【図２】
0006567836.tif 000003
【図３】
0006567836.tif 000004
【図４】
0006567836.tif 000005
【図５】
0006567836.tif 000006
【図６】
0006567836.tif 000007
【図７】
0006567836.tif 000008
【図８】
0006567836.tif 000009
【図９】
0006567836.tif 000010
【図１０】
0006567836.tif 000011
【図１１】
0006567836.tif 000012
【図１２】
0006567836.tif 000013
【図１３】
0006567836.tif 000014
【図１４】
0006567836.tif 000015